(57)【要約】【課題】電力及び通信用信号を供給する配線ケーブルを床面に引き回すことを必要とせず、通信環境を保証することができる有線通信接続の提供が可能であって、電力と通信用信号を一括で通信機器へ供給することができる天井吊り下げ型情報コンセントを提供する。【解決手段】天井に配設される天井接続部１と、接続対象機器に電力及び通信用信号を供給する混合コンセント部３と、天井接続部１と混合コンセント部３とを接続するコード部２と、を備える天井吊り下げ型情報コンセントＡにおいて、天井接続部１は、天井に敷設されている電力及び通信用信号を搬送する天井配線と接続され、コード部２は、一端を天井接続部１に接続されて天井接続部１より下方へ延設され、電力及び通信用信号を搬送するものである。【選択図】図１
2008084586.tif 000002
【特許請求の範囲】
【請求項１】
天井に配設される天井接続部と、接続対象機器に電力及び通信用信号を供給する混合コンセント部と、天井接続部と混合コンセント部とを接続するコード部と、を備える天井吊り下げ型情報コンセントにおいて、天井接続部は天井に敷設されている電力及び通信用信号を搬送する天井配線と接続され、コード部は一方の端部が天井接続部に接続されて天井接続部より下方へ延設され、電力及び通信用信号を搬送するものであり、混合コンセント部はコード部の他方の端部に設けられ、接続対象機器に電力を供給する電源コンセントと通信用信号を供給する通信用コネクタを備えることを特徴とする天井吊り下げ型情報コンセント。
【請求項２】
天井配線は電力を供給する電力供給線と通信用信号を供給する有線通信線とが別々に構成されているものであり、天井接続部は電力供給線と有線通信線とに接続され、コード部は電力を搬送する電源線と通信用信号を搬送する通信線とを備えることを特徴とする請求項１記載の天井吊り下げ型情報コンセント。
【請求項３】
天井配線は電力及び通信用信号を供給することができる一本の電力通信供給線で構成されているものであり、電力と通信用信号との重ね合わせや分離を行うＰＬＣモデム部を備え、天井接続部は前記電力通信供給線に接続されることを特徴とする請求項１記載の天井吊り下げ型情報コンセント。
【請求項４】
ＰＬＣモデム部は混合コンセント部に備えられていることを特徴とする請求項３記載の天井吊り下げ型情報コンセント。
【請求項５】
電力通信供給線は天井に装着される配線用ダクトに配設されており、天井接続部は配線用ダクトに沿う方向に移動させ得るように配線用ダクトに取り付けるものであることを特徴とする請求項３又は４記載の天井吊り下げ型情報コンセント。
【請求項６】
混合コンセント部は通信用信号の利用状況を利用者に通知する通信表示部を備えることを特徴とする請求項１乃至５のいずれか一項に記載の天井吊り下げ型情報コンセント。
【発明の詳細な説明】
【技術分野】
【０００１】
本願発明は、電力を供給する電源コンセントと通信用信号を供給する通信用コネクタとを有し、適切な箇所に電力と通信用信号を供給する天井吊り下げ型情報コンセントに関する。
【背景技術】
【０００２】
従来、電力の供給を行う電源コンセント及びインターネットやイントラネットにパーソナルコンピュータなどの通信機器を接続するための通信用コネクタは、一般的に屋内の壁面の定位置に設けられている。このような場合には、電源コンセントや通信用コネクタの位置により机などの配置が制限されてしまい、特に、事務所などでは多くの机を配置する必要があるため、事務所スペースの効率の良い活用ができない場合があった。この場合には、床下配線をするシステムフロアなどによって、効率よく電源コンセントや通信用コネクタの配置を行っている場合がある。
【０００３】
しかし、工場において、生産ラインによっては床下配線をするシステムフロアを設置できない箇所がある場合や、生産ラインを設置できる広いスペースが必要である場合が多く、電源コンセントや通信用コネクタが設けられている壁面から電力供給が必要な機器まで距離があるため、床面に配線ケーブルを引き回さなければならないが、配線ケーブルにより歩行の際に足を引っ掛けるなどの安全上の問題があった。
【０００４】
よって、従来から、特開平０６−１５３３６４号公報に示されるように、電力供給については、天井から電源コンセントを吊り下げる天井コンセント（図１４に示す）を使用することによって、配線ケーブルを床面に引き回すことが不要となり、歩行の際の危険の解消、床面の有効利用などを図ることができることが知られている。
【特許文献１】特開平０６−１５３３６４号公報
【発明の開示】
【発明が解決しようとする課題】
【０００５】
しかしながら、工場において、インターネットやイントラネットに接続するパーソナルコンピュータなどの通信機器を生産ラインに接続して、事務所エリアなどから生産ラインの管理が行われることも多い。通信機器は電力及び通信用信号の供給を必要とするため、従来例の天井コンセントを使用する場合では、別の配線ケーブルなどによって通信線を通信機器に接続する必要があるので、通信線を床面に引き回すこととなり、電力の配線ケーブルと同様に歩行の際の安全上の問題がある。
【０００６】
そこで、配線ケーブルが不要である無線ＬＡＮを用いた無線接続を利用することによって解決することが考えられる。この場合には、歩行の際の安全上の問題は解決できるが、通信速度が有線接続より遅いことや通信セキュリティの課題や工場特有のノイズによる通信信頼性の低下などの通信環境に問題がある。
【０００７】
本願発明は、上記背景技術に鑑みて発明されたものであり、電力及び通信用信号を供給する配線ケーブルを床面に引き回すことを必要とせず、通信環境を保証することができる有線通信接続の提供が可能であって、電力と通信用信号を一括で通信機器へ供給することができる天井吊り下げ型情報コンセントを提供することを目的とする。
【課題を解決するための手段】
【０００８】
上記課題を解決するために、本願請求項１記載の発明では、天井に配設される天井接続部と、接続対象機器に電力及び通信用信号を供給する混合コンセント部と、天井接続部と混合コンセント部とを接続するコード部と、を備える天井吊り下げ型情報コンセントにおいて、天井接続部は天井に敷設されている電力及び通信用信号を搬送する天井配線と接続され、コード部は一方の端部が天井接続部に接続されて天井接続部より下方へ延設され、電力及び通信用信号を搬送するものであり、混合コンセント部はコード部の他方の端部に設けられ、接続対象機器に電力を供給する電源コンセントと通信用信号を供給する通信用コネクタを備えることを特徴としている。
【０００９】
本願請求項２記載の発明では、上記請求項１記載の天井吊り下げ型情報コンセントにおいて、天井配線は電力を供給する電力供給線と通信用信号を供給する有線通信線とが別々に構成されているものであり、天井接続部は電力供給線と有線通信線とに接続され、コード部は電力を搬送する電源線と通信用信号を搬送する通信線とを備えることを特徴としている。
【００１０】
本願請求項３記載の発明では、上記請求項１記載の天井吊り下げ型情報コンセントにおいて、天井配線は電力及び通信用信号を供給することができる一本の電力通信供給線で構成されているものであり、電力と通信用信号との重ね合わせや分離を行うＰＬＣモデム部を備え、天井接続部は前記電力通信供給線に接続されることを特徴としている。
【００１１】
本願請求項４記載の発明では、上記請求項３記載の天井吊り下げ型情報コンセントにおいて、ＰＬＣモデム部は混合コンセント部に備えられることを特徴としている。
【００１２】
本願請求項５記載の発明では、上記請求項３又は４記載の天井吊り下げ型情報コンセントにおいて、電力通信供給線は天井に装着される配線用ダクトに配設されており、天井接続部は配線用ダクトに沿う方向に移動させ得るように配線用ダクトに取り付けるものであることを特徴としている。
【００１３】
本願請求項６記載の発明では、上記請求項１乃至５のいずれか一項に記載の天井吊り下げ型情報コンセントにおいて、混合コンセント部は通信用信号の利用状況を利用者に通知する通信表示部を備えることを特徴としている。
【発明の効果】
【００１４】
本願請求項１記載の発明の天井吊り下げ型情報コンセントにおいては、天井接続部は天井配線と接続されることで、天井より電力及び通信用信号の供給を得ることができ、コード部は天井接続部と混合コンセントを電気的に接続するものであるので、混合コンセント部へ電力及び通信用信号を搬送することができ、混合コンセント部は、有線で接続される電源コンセントと通信用コネクタを一体で有しているので、電力及び通信用信号を供給する配線ケーブルを床面に引き回すことを必要とせず、通信環境を保証することができる有線通信接続の提供が可能であって、電力と通信用信号を一括で通信機器へ供給することができる。
【００１５】
本願請求項２記載の発明の天井吊り下げ型情報コンセントにおいては、通常行われている天井配線である電力供給線と有線通信線とに天井接続部を接続され、コード部によって混合コンセント部に電力及び通信用信号を供給することができるので、既存の配線形態を変更することなく取り付けることができる。また、電力と通信用信号が別の配線で供給されるので、電力による通信用信号のノイズ発生を防止することができる。
【００１６】
本願請求項３記載の発明の天井吊り下げ型情報コンセントにおいては、天井の電力及び通信用信号を供給する配線が１本の電力通信供給線で構成されているので、天井に配設される天井接続部は一本の天井配線との接続のみを行えばよく、ＰＬＣモデム部で電力と通信用信号の重ね合わせや分離を行うので、施工性が向上する。さらに、通信用信号が電力を供給する配線に重畳されている電力通信供給線を用いるので、幹線部分から直接分岐させることができないＥｔｈｅｒｎｅｔケーブルなどの場合と違い、ハブやルータなどの分岐用機器の設置個数やケーブル長などの制約がなく、設置位置選択の自由度を高めることができる。
【００１７】
本願請求項４記載の発明の天井吊り下げ型情報コンセントにおいては、混合コンセント部で電力と通信用信号との重ね合わせや分離を行うことができるので、コード部は１本の配線で構成でき、部品点数を削減することができる。
【００１８】
本願請求項５記載の発明の天井吊り下げ型情報コンセントにおいては、電力通信供給線は配線用ダクトに配設されており、配線用ダクトに沿う方向に移動させ得るように天井接続部を配線用ダクトに取り付けて電力通信供給線へ接続することができる。このことによって、電源コンセント及び通信用コネクタを一体に備えた天井吊り下げ型情報コンセントの配置を自由に変更することができ、接続対象機器である通信機器などの配置が制限されることなく、配置効率を向上させることができる。
【００１９】
本願請求項６記載の発明の天井吊り下げ型情報コンセントにおいては、通信表示部によって通信用信号の利用状況を表示するので、利用者が容易に通信利用状況を把握することができ、また通信トラブルを早期に発見することができる。
【発明を実施するための最良の形態】
【００２０】
図１及び図２は、本願発明の第１の実施形態である天井吊り下げ型情報コンセントを示している。例えば、図１に示すように、コード部２は一方の端部が天井接続部１に接続されて天井接続部１より下方へ延設され、電力及び通信用信号を搬送するものであり、混合コンセント部３はコード部２の他方の端部に設けられ、接続対象機器に電力を供給する電源コンセント３ａと通信用信号を供給する通信用コネクタ３ｂを備えるものである。
また、天井配線は電力を供給する電力供給線１０１と通信用信号を供給する有線通信線１０２とが別々に構成されているものであり、天井接続部１は電力供給線１０１と有線通信線１０２とに接続され、コード部２は電力を搬送する電源線２ａと通信用信号を搬送する通信線２ｂとを備えるものである。さらに、混合コンセント部３は通信用信号の利用状況を利用者に通知する通信表示部４を備えるものである。
【００２１】
以下、この実施形態の天井吊り下げ型情報コンセントを、より具体的詳細に説明する。図２に示すように、天井吊り下げ型情報コンセントＡは、天井接続部１とコード部２と混合コンセント部３とを備えている。天井内または天井面に電力を供給する電力供給線１０１と通信用信号を供給する有線通信線１０２とが配線されており、天井接続部１は天井面や天井に配設されている梁などにネジ止めや接着材などを用いて固定され、電力供給線１０１と有線通信線１０２とに接続されている。
【００２２】
天井接続部１には電源ソケット部１ａが備えられており、電力供給線１０１とコード部２の電源線２ａとの接続を安全且つ容易に行えるものである。電源ソケット部１ａはコンセントとプラグと同様の接続形態、コネクタ、スリーブ、ネジ止めなどの様々な接続形態を取ることができる。
【００２３】
さらに、天井接続部１には通信接続コネクタ部１ｂが備えられており、有線通信線１０２とコード部２の通信線２ｂとの接続を安全且つ容易に行えるものである。通信接続コネクタ部１ｂは、例えばＬＡＮ用８極８芯情報モジュラコンセントなどの通常使用されている通信線用のコネクタを利用するものでもよい。また、通信接続コネクタ部１ｂを備えることなく、天井に配線されている有線通信線１０２を天井接続部１で保持し、そのままコード部２の通信線２ｂとして混合コンセント部３まで延長する構成とすることもできる。
【００２４】
コード部２は一方の端部が天井接続部１に接続され、他方の端部が混合コンセント部３に接続されており、天井接続部１から下方に配設されている。天井接続部１において、電力供給線１０１と接続される電源線２ａと、有線通信線１０２と接続される通信線２ｂとでコード部２は構成されている。
【００２５】
混合コンセント部３はコード部２の端部に接続されており、電源コンセント３ａと通信用コネクタ３ｂと通信表示部４を備えるものである。コード部２の電源線２ａが混合コンセント３の内部で電源コンセント３ａと接続され、コード部２の通信線２ｂが混合コンセント３の内部で通信用コネクタ３ｂと接続される。
【００２６】
このことによって、天井に配線されている電力供給線１０１と電源コンセント３ａは電気的に接続された状態となり、接続対象機器である通信機器などの電気機器のプラグを電源コンセント３ａに接続することで、通信機器などの電気機器へ電力供給することができる。さらに、天井に配線されている有線通信線１０２と通信用コネクタ３ｂは電気的に接続された状態となり、通信機器と通信用コネクタ３ｂの間を通信用ケーブルなどで接続することによって、通信機器へ通信用信号を供給することができる。
【００２７】
ここで、配線ケーブルを床面に引き回すことが困難で、また無線ＬＡＮの使用が制限される可能性のある工場においては、事務所エリアなどからインターネットやイントラネットを介して生産ラインの管理を行うために設置されるパーソナルコンピュータなどの通信機器が、天井から電力及び通信用信号を供給できる本願発明である天井吊り下げ型情報コンセントＡの接続対象機器として考えられる。
【００２８】
なお、図１及び図２では、電源コンセント３ａ及び通信用コネクタ３ｂは混合コンセント部３の底面に配設されている実施形態を示しているが、これに限定される必要はなく、電源コンセント３ａ及び通信用コネクタ３ｂは混合コンセント３のいずれの面に配設されてもよい。
【００２９】
また、混合コンセント部３の高さを調節し得るように支持し、且つ調整後の高さに保持し得るように制動する昇降機構を天井吊り下げ型情報コンセントＡに設けることによって、接続対象機器の設置高さに柔軟に対応することが可能であり、不使用時には、混合コンセント部３を上昇させた位置に保持しておくことで、スペースの有効活用が可能である。
【００３０】
通信表示部４は、混合コンセント部３に搭載され、通信線２ｂまたは通信用コネクタ３ｂと電気的に接続させて、通信用信号の利用状況を監視することができるものである。例えば、通信表示部４はＬＥＤや液晶画面表示などで構成され、通信用コネクタ３に接続されている機器が通信動作中であればＬＥＤを点灯し、通信停止中であればＬＥＤを消灯することや、液晶画面に通信の状況を表示することによって、利用者が機器の通信動作中であるか否かの確認をすることができる。このことによって、機器の通信に対するトラブルの発見が容易となる。
【００３１】
なお、図１及び図２では、通信表示部４は混合コンセント部３の側面に配設されている実施形態を示しているが、これに限定される必要はなく、通信表示部４は混合コンセント３の利用者が視認可能ないずれの面に配設されてもよい。
【００３２】
したがって、天井接続部１は天井配線と接続されることで、天井より電力及び通信用信号の供給を得ることができ、コード部２は天井接続部１と混合コンセント３を電気的に接続するものであるので、混合コンセント部３へ電力及び通信用信号を搬送することができ、混合コンセント部３は、有線で接続される電源コンセント３ａと通信用コネクタ３ｂを一体で有しているので、電力及び通信用信号を供給する配線ケーブルを床面に引き回すことを必要とせず、通信環境を保証することができる有線通信接続の提供が可能であって、電力と通信用信号を一括で接続対象機器である通信機器などへ供給することができる。
【００３３】
さらに、通常行われている天井配線である電力供給線１０１と有線通信線１０２とに天井接続部１を接続され、コード部２によって混合コンセント部３に電力及び通信用信号を供給することができるので、既存の配線形態を変更することなく取り付けることができる。また、電力と通信用信号が別の配線で供給されるので、電力による通信用信号のノイズ発生を防止することができる。
【００３４】
また、通信表示部４によって通信用信号の利用状況を表示するので、利用者が容易に通信利用状況を把握することができ、また通信トラブルを早期に発見することができる。
【００３５】
図３及び図４は、本願発明の第２の実施形態である天井吊り下げ型情報コンセントを示している。ここでは、上記第１の実施形態と相違する事項についてのみ説明し、その他の事項（構成、作用効果等）については、上記第１の実施形態と同様であるのでその説明を省略する。例えば、図３に示すように、天井配線は電力及び通信用信号を供給することができる一本の電力通信供給線１０３で構成されているものであり、電力と通信用信号との重ね合わせや分離を行うＰＬＣモデム部５を備え、天井接続部１は、電力通信供給線１０３に接続されるものである。
【００３６】
電力通信供給線１０３は電力線を通信回線として利用する技術を用いることによって実現することができるものであり、既存の電力線に通信用信号が重畳されるものである。ここでは、第１の実施形態で説明した電力供給線１０１と区別して説明するため、電力通信供給線１０３と表現して説明する。
【００３７】
図４に示すように、天井内または天井面に電力及び通信用信号を供給する電力通信供給線１０３が配線されており、天井接続部１は天井面や天井に配設されている梁などにネジ止めや接着材などを用いて固定され、電力通信供給線１０３と接続されている。
【００３８】
天井接続部１にはＰＬＣモデム部５が備えられており、天井に配線されている電力通信供給線１０３は天井接続部１の内部でＰＬＣモデム部５に接続される。ＰＬＣモデム部５は電力通信供給線１０３より供給される電力に重畳されて送信されてくる通信用信号の分離を行い、電力をコード部２の電源線２ａに供給し、分離された通信用信号をコード部２の通信線２ｂに送信する。さらに、混合コンセント３の通信用コネクタ３ｂ及びコード部２の通信線２ｂを通して通信機器などより送信されてくる通信用信号を電力と重ね合わせて電力通信供給線１０３へ送信する。
【００３９】
なお、ＰＬＣモデム部５は天井接続部１の内部に必ずしも配設されている必要はなく、コード部２の途中に配設されていてもよい。
【００４０】
したがって、天井の電力及び通信用信号を供給する配線が１本の電力通信供給線１０３で構成されているので、天井に配設される天井接続部１は一本の天井配線との接続のみを行えばよく、ＰＬＣモデム部５で電力と通信用信号の重ね合わせや分離を行うので、施工性が向上する。さらに、通信用信号が電力を供給する配線に重畳されている電力通信供給線１０３を用いるので、幹線部分から直接分岐させることができないＥｔｈｅｒｎｅｔケーブルなどの場合と違い、ハブやルータなどの分岐用機器の設置個数やケーブル長などの制約がなく、設置位置選択の自由度を高めることができる。
【００４１】
図５は、本願発明の第３の実施形態である天井吊り下げ型情報コンセントを示している。ここでは、上記第２の実施形態と相違する事項についてのみ説明し、その他の事項（構成、作用効果等）については、上記第２の実施形態と同様であるのでその説明を省略する。例えば、図５に示すように、天井内または天井面に電力及び通信用信号を供給する電力通信供給線１０３が配線されており、天井接続部１は天井面や天井に配設されている梁などにネジ止めや接着材などを用いて固定され、電力通信供給線１０３と接続されている。
【００４２】
天井接続部１には電源ソケット部１ａが備えられており、電力通信供給線１０３とコード部２の電源通信線２ｃとの接続を安全且つ容易に行えるものである。電源ソケット部１ａはコンセントとプラグと同様の接続形態、コネクタ、スリーブ、ネジ止めなどの様々な接続形態を取ることができる。
【００４３】
コード部２は、天井接続部１において、電力通信供給線１０３と接続される電源通信線２ｃで構成されている。
【００４４】
混合コンセント部３にはＰＬＣモデム部５が備えられており、電源通信線２ｃは混合コンセント部３の内部でＰＬＣモデム部５に接続される。ＰＬＣモデム部５は電源通信線２ｃより供給される電力に重畳されて送信されてくる通信用信号の分離を行い、電力を電源コンセント３ａに供給し、分離された通信用信号を通信用コネクタ３ｂに送信する。さらに、通信用コネクタ３ｂを通して通信機器などより送信されてくる通信用信号を電力と重ね合わせて電源通信線２ｃへ送信する。
【００４５】
したがって、混合コンセント部３で電力と通信用信号との重ね合わせや分離を行うことができるので、コード部２は１本の配線で構成でき、部品点数を削減することができる。
【００４６】
本願発明の第２及び第３の実施形態は以下の構成とすることができる。図６に示すように、電力通信供給線１０３は天井に装着される配線用ダクト６に配設されており、天井接続部１は配線用ダクト６に沿う方向に移動させ得るように配線用ダクト６に取り付けるものである。
【００４７】
図７に示すように、配線用ダクト６は電力通信供給線１０３と絶縁体６２を備えている。絶縁体６２は断面が略コ字状となるように形成されており、開口部を下方に位置するように天井面や天井に配設されている梁などにネジ止めや接着材などを用いて固定されている。電力通信供給線１０３は絶縁体６２の両内側面に長手方向へ延設されている。
【００４８】
図８及び図９に示すように、天井接続部１は配線ダクト６と嵌合支持するための支持部１３と、電力通信供給線１０３と接触して電力及び通信用信号の供給を受ける電源端子１１を有している。天井接続部１にＰＬＣモデム部５を備える第２の実施形態の場合は、図８に示すように、電源端子１１は天井接続部内電源通信線１ｃによってＰＬＣモデム部５と電気的に接続されている。一方、第３の実施形態の場合は、図９に示すように、電源端子１１は電源通信線２ｃへ直接接続されている。
【００４９】
図１０に示すように、天井接続部１の上部に配設されている支持部１３は長辺と短辺を有する板形状であり、電源端子１１を支持している電源端子支持部１２も同様に長辺と短辺を有する板形状であり、その短辺には電源端子１１が着設されている。
【００５０】
図１１は天井接続部１を配線用ダクト６に嵌合支持する手順を示している。図１１（ａ）に示すように、電源端子支持部１２及び支持部１３の長辺が配線用ダクト６の長手方向と平行になるようにして、矢印の方向に天井接続部１を配線用ダクト６に挿入する。この場合、電源端子支持部１２及び支持部１３の短辺の長さが、配線用ダクト６の開口部の幅より小さいので支持部１３まで挿入することができる。次に、図１１（ｂ）に示すように、配線用ダクト６の絶縁体６２の開口部両側の受け部６２ａより内側に支持部１３が挿入された状態で、天井接続部１を矢印の方向へ９０度回転させる。その結果、図１１（ｃ）に示すように、支持部１３が受け部６２ａによって支持されることで天井接続部１が配線用ダクト６に嵌合支持され、さらに電源端子１１は電力通信供給線１０３と接触する状態となる。
【００５１】
図１２に示すように、第２の実施形態の場合には、天井接続部１は配線用ダクト６に嵌合支持され、電力及び通信用信号が電力通信供給線１０３、電源端子１１及び天井接続部内電源通信線１ｃによってＰＬＣモデム部５に供給されることとなる。また、図１３に示すように、第３の実施形態の場合には、天井接続部１は配線用ダクト６に嵌合支持され、電力及び通信用信号が電力通信供給線１０３、電源端子１１及び電源通信線２ｃによって混合コンセント部３のＰＬＣモデム部５に供給されることとなる。
【００５２】
したがって、電力通信供給線１０３は配線用ダクト６に配設されており、配線用ダクト６に沿う方向に移動させ得るように天井接続部１を配線用ダクト６に取り付けて電力通信供給線１０３へ接続することができる。このことによって、電源コンセント３ａ及び通信用コネクタ３ｂを一体に備えた天井吊り下げ型情報コンセントの配置を自由に変更することができ、接続対象機器である通信機器などの配置が制限されることなく、配置効率を向上させることができる。
【図面の簡単な説明】
【００５３】
【図１】本願発明の第１の実施形態である天井吊り下げ型情報コンセントの側面図（ａ）と混合コンセント部の底面図（ｂ）である。
【図２】同天井吊り下げ型情報コンセントのブロック図である。
【図３】本願発明の第２の実施形態である天井吊り下げ型情報コンセントの側面図（ａ）と混合コンセント部の底面図（ｂ）である。
【図４】同天井吊り下げ型情報コンセントのブロック図である。
【図５】本願発明の第３の実施形態である天井吊り下げ型情報コンセントのブロック図である。
【図６】本願発明の第２及び第３の実施形態の変形例である天井吊り下げ型情報コンセントの側面図（ａ）と混合コンセント部の底面図（ｂ）である。
【図７】同天井吊り下げ型情報コンセントの天井接続部が取り付けられる配線用ダクトの断面図である。
【図８】第２の実施形態の変形例である天井吊り下げ型情報コンセントの天井接続部の断面図である。
【図９】第３の実施形態の変形例である天井吊り下げ型情報コンセントの天井接続部の断面図である。
【図１０】本願発明の第２及び第３の実施形態の変形例である天井吊り下げ型情報コンセントの天井接続部の上面図である。
【図１１】同天井吊り下げ型情報コンセントの天井接続部の配線用ダクトへの取り付け手順を示す断面図である。
【図１２】第２の実施形態の変形例である天井吊り下げ型情報コンセントの配線用ダクトへの取り付け状態を示す断面図である。
【図１３】第３の実施形態の変形例である天井吊り下げ型情報コンセントの配線用ダクトへの取り付け状態を示す断面図である。
【図１４】従来例である天井コンセントの斜視図である。
【符号の説明】
【００５４】
Ａ  天井吊り下げ型情報コンセント
１  天井接続部
２  コード部
２ａ  電源線
２ｂ  通信線
２ｃ  電源通信線
３  混合コンセント部
３ａ  電源コンセント
３ｂ  通信用コネクタ
４  通信表示部
５  ＰＬＣモデム部
６  配線用ダクト
１０１  電力供給線（天井配線）
１０２  有線通信線（天井配線）
１０３  電力通信供給線（天井配線）
【図１】
2008084586.tif 000003
【図２】
2008084586.tif 000004
【図３】
2008084586.tif 000005
【図４】
2008084586.tif 000006
【図５】
2008084586.tif 000007
【図６】
2008084586.tif 000008
【図７】
2008084586.tif 000009
【図８】
2008084586.tif 000010
【図９】
2008084586.tif 000011
【図１０】
2008084586.tif 000012
【図１１】
2008084586.tif 000013
【図１２】
2008084586.tif 000014
【図１３】
2008084586.tif 000015
【図１４】
2008084586.tif 000016